(57)【要約】【課題】紫外線、電子線等の発生部１の固定体に対する搬送経路の振動体の振動による照射部７の空間体積の増減を吸収し、搬送経路の導入開口、排出開口から不活性ガスの排出を少なくし、不活性ガスの照射部への供給量を減少し、ランニングコストを低下するようにする。【解決手段】紫外線、電子線等の発生部１の固定体と搬送経路の振動体との間に、照射部から見て、導入開口１０及び排出開口１４より大きいコンダクタンスのある照射部開口１７を設け、照射部開口１７を被覆体１８で覆い、被覆体１８で覆った空間体積を、照射部７における振動体の振動による照射部７の空間体積の増減量の少なくとも２倍以上の体積とする。【選択図】        図１
2004354078.tif 000002
【特許請求の範囲】
【請求項１】
被照射物の導入開口が形成された導入部、被照射物に紫外線、電子線等を照射する照射部及び被照射物の排出開口が形成された排出部からなる被照射物の搬送経路を有し、
紫外線、電子線等を発生する発生部の固定体に対し、前記照射部の前記搬送経路が振動体であり、
前記照射部に該照射部の酸素濃度低減用ガスを供給する照射装置であって、
前記固定体と前記振動体との間に、前記照射部から見て、前記導入開口及び前記排出開口より大きいコンダクタンスのある照射部開口を設け、
前記照射部開口を被覆体で覆い、
前記被覆体で覆った空間体積を、前記照射部における前記振動体の振動による前記照射部の空間体積の増減量の少なくとも２倍以上の体積としたことを特徴とする照射装置。
【請求項２】
被覆体の中央と周縁のほぼ中間部を上方へ吊り上げ、前記被覆体の形成する空間体積を増大したことを特徴とする請求項１記載の照射装置。
【請求項３】
被覆体の下端の一部が開放されていることを特徴とする請求項１または請求項２記載の照射装置。
【請求項４】
被照射物の導入開口が形成された導入部、被照射物に紫外線、電子線等を照射する照射部及び被照射物の排出開口が形成された排出部からなる被照射物の搬送経路を有し、
紫外線、電子線等を発生する発生部の固定体に対し、前記照射部の前記搬送経路が振動体であり、
前記照射部に該照射部の酸素濃度低減用ガスを供給する照射装置であって、
前記固定体と前記振動体との間に照射部開口を設け、
前記照射部開口を、前記導入開口及び前記排出開口を気体が流通するエネルギよりも小さいエネルギで伸縮する袋状の被覆体で覆い、
前記被覆体の上部開口周縁を前記固定体に固着し、
前記被覆体の下部開口周縁を前記振動体に固着したことを特徴とする照射装置。
【発明の詳細な説明】
【０００１】
【発明の属する技術分野】
本発明は、被照射物導入部、被照射物に紫外線、電子線等を照射する照射部及び被照射物排出部からなる被照射物の搬送経路を有し、照射部の搬送経路が、紫外線、電子線等を発生する固定体に対し、振動体であり、照射部に照射部の酸素濃度低減用ガスを供給するようにした照射装置に関する。
【０００２】
【従来の技術】
従来、例えば粒体、粉体穀物等表層を殺菌すべく、紫外線、電子線等を照射する場合、大気中で照射するとオゾンを大量に発生するため、大気を窒素等不活性ガスで置換した状態で行っている。
【０００３】
被照射物の搬送経路の照射部に、周期的な体積の増減が無い場合、即ち搬送経路が静止状態で構成されている場合、搬送経路を極力密閉状態にし、適量の不活性ガスを照射部に導入することにより、被照射物に適した低酸素濃度状態を実現している。
【０００４】
一方、照射部の被照射物を回転させるために、搬送経路のコンベアの振動板を振動させ、照射部に周期的な体積の増減がある場合、被照射物導入部と照射部との間、及び照射部と被照射物排出部との間に、それぞれ照射部を外気と隔離するための副室を設け、導入部側副室で大気を不活性ガスと置換した後、被照射物を照射部に導入し、排出部側副室で不活性ガスを大気に置換した後、被照射部を大気に排出している。
【０００５】
この場合、不活性ガスの供給量は、前記搬送経路が静止状態で構成されている場合と同程度で良いが、被照射物を連続搬送することができず、生産効率が低下する。
【０００６】
そこで、生産効率を向上した従来の照射装置を、図３を参照して説明する。同図において、１は電子線を発生する固定された電子線発生部、２は発生部１の下部に形成された照射窓、３は照射窓２に張設された窓箔であり、発生部１内の真空空間と外部とを区切り、発生部１の電子線が窓箔３を通して下方へ照射される。
【０００７】
４は照射窓２の下方に左右方向に配設されたトラフ状搬送体、５は搬送体４の照射窓２直下に形成された照射窓２より大径の搬送体開口縁、６は照射窓２の周縁と搬送体開口縁５とを接続して覆った帆布製照射窓継ぎ手、７は搬送体４の照射窓２下方の照射部であり、搬送体４は、振動コンベアからなる振動体であり、例えば穀物の粒体、粉体等被照射物を回転させながら搬送するよう若干傾斜し、矢印で示すように斜方向に上下動の振動を行い、照射窓継ぎ手６が搬送体４の振動の発生部１への伝達を防止している。
【０００８】
８は搬送体４の上流側に接続された流入部、９は流入部８の上方に設けられ導入開口１０が形成された被照射物の導入部、１１は帆布製導入側継ぎ手であり、振動体の流入部８と固定体の導入部９とを接続している。
【０００９】
１２は搬送体４の下流側に接続された流出部、１３は流出部１２の下方に設けられ排出開口１４が形成された被照射物の排出部、１５は振動体の流出部１２と固定体の排出部１３とを接続した帆布製排出側継ぎ手である。
【００１０】
１６は搬送体４に形成された窒素ガス等不活性ガスの供給口であり、照射部７の下流側に照射部７に近接して設けられ、供給口１６から照射部７に不活性ガスを供給する。
【００１１】
そして、導入開口１０から導入された被照射物を、搬送体４の振動により回転させながら上流から下流へ搬送し、照射部７において、発生部１の照射窓２を透過した電子線を被照射物に照射し、排出開口１４から被照射物を排出している（例えば、特許文献１参照。）。
【００１２】
【特許文献１】
特開２００３−２９０００号公報（第５頁、図１）
【００１３】
【発明が解決しようとする課題】
図３に示す従来の照射装置の場合、導入開口１０及び排出開口１４を除き、搬送経路が密閉された状態であり、発生部１の固定体に対し、搬送体４が振動体であり、固定体に対する振動体の上下の振動により、搬送経路の照射部７で空間体積が増減する。
【００１４】
この時、照射窓２の周縁と搬送体開口縁５とを接続して覆った照射窓継ぎ手６は、長さが短く、振動体の振動を固定体に伝達しないようにしたものに過ぎず、照射部７の空間体積の増減を全然吸収せず、導入開口１０及び排出開口１４付近の気体が移動し、空気と不活性ガスとの混合物の気体が、導入開口１０及び排出開口１４から排出するとともに、外気が両開口１０、１４から流入し、不活性ガスと外気との交換が行われ、照射部７の酸素濃度が低下し、照射部７に大量の不活性ガスの供給を必要とし、ランニングコストが上昇するという問題点がある。
【００１５】
本発明は、前記の点に留意し、電子線等の発生部の固定体に対する搬送経路の振動体の振動による照射部の空間体積の増減を吸収し、搬送経路の導入開口、排出開口から不活性ガスの排出を少なくし、不活性ガスの照射部への供給量を減少し、ランニングコストを低下するようにした照射装置を提供することを目的とする。
【００１６】
【課題を解決するための手段】
前記目的を達成するために、本発明の請求項１記載の照射装置は、被照射物の導入開口が形成された導入部、被照射物に紫外線、電子線等を照射する照射部及び被照射物の排出開口が形成された排出部からなる被照射物の搬送経路を有し、
紫外線、電子線等を発生する発生部の固定体に対し、前記照射部の前記搬送経路が振動体であり、
前記照射部に該照射部の酸素濃度低減用ガスを供給する照射装置であって、
前記固定体と前記振動体との間に、前記照射部から見て、前記導入開口及び前記排出開口より大きいコンダクタンスのある照射部開口を設け、
前記照射部開口を被覆体で覆い、
前記被覆体で覆った空間体積を、前記照射部における前記振動体の振動による前記照射部の空間体積の増減量の少なくとも２倍以上の体積としたものである。
【００１７】
前記のように構成された本発明の請求項１記載の照射装置は、照射部から見て、発生部の固定体と搬送経路の振動体との間の照射部開口のコンダクタンスが、被照射物の導入開口及び排出開口のコンダクタンスより大きく、照射部開口を覆った被覆体の空間体積が、照射部における振動体の振動による照射部の空間体積の増減量の少なくとも２倍以上の空間体積であるため、振動体の振動による照射部の空間体積の増減が、広い照射部開口を通って被覆体の広い空間に吸収され、搬送経路の導入開口及び排出開口付近の気体の移動に、振動体の振動による空間体積の増減が影響せず、導入開口及び排出開口からの不活性ガスの排出が少なく、不活性ガスの照射部への供給量を減少でき、ランニングコストを低下することができる。
【００１８】
また、被覆体の中央と周縁のほぼ中間部を上方へ吊り上げるようにすることが望ましく、この場合、被覆体の形成する空間体積を簡単に増大することができる（請求項２）。
【００１９】
さらに、被覆体の下端の一部が開放されているのが好ましい。この場合、被覆体の中央の開口周縁を照射窓の周縁に接続するのみでよく、被覆体の取り付けが容易である（請求項３）。なお、被覆体の下端が搬送経路の搬送体等に固着され、密閉状態であってもよい。
【００２０】
また、本発明の請求項４記載の照射装置は、発生部の固定体と搬送経路の振動体との間に照射部開口を設け、前記照射部開口を、導入開口及び排出開口を気体が流通するエネルギよりも小さいエネルギで伸縮する袋状の被覆体で覆い、前記被覆体の上部開口周縁を前記固定体に固着し、前記被覆体の下部開口周縁を前記振動体に固着したものである。
【００２１】
前記のように構成された本発明の請求項４記載の照射装置は、発生部の固定体と搬送経路の振動体との間の照射部開口が、被照射物の導入開口及び排出開口を気体が流通するエネルギよりも小さいエネルギで伸縮する袋状の被覆体で覆われ、被覆体の上部開口周縁が固定体に固着され、下部開口周縁が振動体に固着されているため、振動体の振動による照射部の空間体積の増減が、被覆体の拡大、縮小によるバッファ作用により吸収され、導入開口及び排出開口からの不活性ガスの排出が少なく、不活性ガスの照射部への供給量を減少でき、ランニングコストを低下することができる。
【００２２】
【発明の実施の形態】
本発明の実施の形態を図１及び図２を参照して説明する。両図において、図３と同一符号は同一もしくは相当するものを示す。
（形態１）
実施の形態１を示した図１において、図３と異なる点はつぎの通りである。電子線発生部１の照射窓２に対向した搬送体４の搬送体開口縁５の径を、従来に比し大きくし、照射窓２の下端縁と搬送体開口縁５との間に形成される照射部開口１７を、導入部９の導入開口１０及び排出部１３の排出開口１４より大きくし、照射部７から見て、照射窓２の周縁と搬送体開口縁５との間に形成される照射部開口１７のコンダクタンスを、導入開口１０及び排出開口１４のコンダクタンスの１．５倍以上に大きくしている。
【００２３】
図３における照射窓２の周縁と搬送体開口縁５とを接続して覆った照射窓継ぎ手６に対し、本形態では、例えば帆布製の広大なシート状被覆体１８を用い、被覆体１８の中央部開口周縁１９を照射窓２の周縁にバンド２０で固着している。
【００２４】
さらに、被覆体１８の中央と周縁のほぼ中間部の数個所、例えば４個所を、紐２１で上方に吊り上げ、被覆体１８の周縁部を、搬送体４の上面に載置するとともに、搬送体４の側面に垂らしている。
【００２５】
そして、照射部開口１７を覆った被覆体１８の空間体積を、照射部７における搬送体４の上下振動による照射部７の空間体積の増減量の少なくとも２倍以上の体積にしている。
【００２６】
従って、振動体である搬送体４の振動による照射部７の空間体積の増減が、広い照射部開口１７を通って被覆体１８の形成した広い空間に吸収され、搬送経路の導入開口１０及び排出開口１４付近の気体の移動に影響を与えず、導入開口１０及び排出開口１４からの不活性ガスの排出及び外気の流入が少なく、照射部７への不活性ガスの供給量を減少でき、ランニングコストを低下することができる。
【００２７】
なお、被覆体１８の形成する空間体積は、照射部７における搬送体４の振動による照射部７の空間体積の増減量に対し、十分大きい方がよく、１０倍以上が望ましいが、５倍程度であっても実用上適しており、少なくとも２倍以上あればよい。
【００２８】
また、被覆体１８の周縁部は、搬送体４に接触している程度でもよく、密着、固着していてもよく、開放していてもよい。
【００２９】
（形態２）
実施の形態２を示した図２において、図３と異なる点はつぎの通りである。電子線発生部１の照射窓２の下端縁と搬送体開口縁５との間に形成される照射部開口１７を、搬送経路の導入開口１０及び排出開口１４を気体が流通するエネルギよりも小さいエネルギで拡大、縮小して伸縮する例えば平面が円形の袋状被覆体２２で覆い、被覆体２２の上部ないしは上面の上部開口周縁２３を上バンド２４で照射窓２の周縁に固着し、被覆体２２の下部ないしは下面の下部開口周縁２５を下バンド２６で搬送体開口縁５に固着している。
【００３０】
従って、振動体である搬送体４の上下の振動による照射部７の空間体積の増減が、被覆体２２の拡大、縮小によるバッファ作用により吸収され、導入開口１０及び排出開口１４付近の気体の移動に影響を与えず、導入開口１０及び排出開口１４からの不活性ガスの排出及び外気の流入が少なく、照射部７への不活性ガスの供給量を減少でき、ランニングコストを低下することができる。
【００３１】
なお、照射窓２の下端縁と搬送体開口縁５との間に形成される照射部開口１７は、形態１のように、導入開口１０及び排出開口１４より大きい方がより効果的であるが、必ずしも大きくせずともよい。
【００３２】
【発明の効果】
本発明は、以上説明したように構成されているので、以下に記載されるような効果を奏する。
本発明の請求項１記載の照射装置は、照射部７から見て、紫外線、電子線等の発生部１の固定体と搬送経路の振動体との間の照射部開口１７のコンダクタンスが、被照射物の導入開口１０及び排出開口１４のコンダクタンスより大きく、照射部開口１７を覆った被覆体１８の空間体積が、照射部７における振動体の振動による照射部７の空間体積の増減量の少なくとも２倍以上の空間体積であるため、振動体の振動による照射部７の空間体積の増減が、広い照射部開口１７を通って被覆体１８の広い空間に吸収され、搬送経路の導入開口１０及び排出開口１４付近の気体の移動に、振動体の振動による空間体積の増減が影響せず、導入開口１０及び排出開口１４からの不活性ガスの排出が少なく、不活性ガスの照射部への供給量を減少でき、ランニングコストを低下することができる。
【００３３】
また、被覆体１８の中央と周縁のほぼ中間部を上方へ吊り上げるようにすることが望ましく、この場合、被覆体１８の形成する空間体積を簡単に増大することができる（請求項２）。
【００３４】
さらに、被覆体１８の下端の一部が開放されているのが好ましい。この場合、被覆体１８の中央の開口周縁を照射窓２の周縁に接続するのみでよく、被覆体１８の取り付けが容易である（請求項３）。なお、被覆体１８の下端が搬送経路の搬送体等に固着され、密閉状態であってもよいのは勿論である。
【００３５】
また、本発明の請求項４記載の照射装置は、紫外線、電子線等の発生部１の固定体と搬送経路の振動体との間の照射部開口１７が、被照射物の導入開口１０及び排出開口１４を気体が流通するエネルギよりも小さいエネルギで伸縮する袋状の被覆体２２で覆われ、被覆体２２の上部開口周縁２３が固定体に固着され、下部開口周縁２５が振動体に固着されているため、振動体の振動による照射部７の空間体積の増減が、被覆体２２の拡大、縮小によるバッファ作用により吸収され、導入開口１０及び排出開口１４からの不活性ガスの排出が少なく、不活性ガスの照射部７への供給量を減少でき、ランニングコストを低下することができる。
【図面の簡単な説明】
【図１】本発明の実施の形態１の概略構成図である。
【図２】本発明の実施の形態２の概略構成図である。
【図３】従来例の概略構成図である。
【符号の説明】
１  発生部
２  照射窓
４  搬送体
７  照射部
９  導入部
１０  導入開口
１３  排出部
１４  排出開口
１７  照射部開口
１８，２２  被覆体
２３  上部開口周縁
２５  下部開口周縁
【図１】
2004354078.tif 000003
【図２】
2004354078.tif 000004
【図３】
2004354078.tif 000005